(57)【特許請求の範囲】
【請求項１】
走行車に連結され、この走行車の走行により移動しながら切断作業をする作業機であって、
前記走行車に連結され、側部を有する機体と、
この機体に回転可能に設けられ、回転しながら被切断物を切断する切断手段と、
前記側部から平面視で斜め前外側方に向かって突出するように設けられ、少なくとも一部が前記側部の外面よりも外側方に位置し、被切断物を前記切断手段に向けて誘導する誘導体とを備え、
前記誘導体は、被切断物を前記切断手段に向けて誘導する三角板状の誘導部を有する
ことを特徴とする作業機。
【請求項２】
誘導体は、機体の側部の外面に取り付けられた取付部を有し、
前記誘導体の誘導部は、前端部に頂点を有しかつ後端部に上下方向の底辺を有する二等辺三角形状をなすもので、前記取付部の前端部から斜め前外側方に向かって突出している
ことを特徴とする請求項１記載の作業機。
【請求項３】
誘導体の誘導部が、機体の側部の内面よりも内側方に位置する内側部分を有する
ことを特徴とする請求項２記載の作業機。
【請求項４】
機体は、互いに離間対向する対をなす側部を有し、
誘導体は、前記対をなす側部の少なくともいずれか一方に設けられている
ことを特徴とする請求項１ないし３のいずれか一記載の作業機。
【発明の詳細な説明】
【技術分野】
【０００１】
本発明は、適切な切断作業ができる作業機に関するものである。
【背景技術】
【０００２】
従来、例えば特許文献１に記載された草刈作業機等の作業機が知られている。
【０００３】
この従来の作業機は、トラクタ等の走行車に連結され板状の側部を有する機体と、この機体に回転可能に設けられ回転しながら雑草等の被切断物を切断する切断手段とを備えている。
【０００４】
また、切断手段は、機体に回転可能に設けられた左右方向の回転軸と、この回転軸に放射状に取り付けられた切断刃とを有している。
【先行技術文献】
【特許文献】
【０００５】
【特許文献１】特開２０１１−１０３８５０号公報（図３等）
【発明の概要】
【発明が解決しようとする課題】
【０００６】
しかしながら、上記従来の作業機では、例えば雑草等の被切断物を切断する切断作業時に、機体の側部が被切断物を押し倒す場合がある。このような場合には、押し倒された被切断物が、切断手段にて切断されずに残ってしまい、適切な切断作業が行われないこととなる。
【０００７】
本発明は、このような点に鑑みなされたもので、適切な切断作業ができる作業機を提供することを目的とする。
【課題を解決するための手段】
【０００８】
請求項１記載の作業機は、走行車に連結され、この走行車の走行により移動しながら切断作業をする作業機であって、前記走行車に連結され、側部を有する機体と、この機体に回転可能に設けられ、回転しながら被切断物を切断する切断手段と、前記側部から平面視で斜め前外側方に向かって突出するように設けられ、少なくとも一部が前記側部の外面よりも外側方に位置し、被切断物を前記切断手段に向けて誘導する誘導体とを備え、前記誘導体は、被切断物を前記切断手段に向けて誘導する三角板状の誘導部を有するものである。
【０００９】
請求項２記載の作業機は、請求項１記載の作業機において、誘導体は、機体の側部の外面に取り付けられた取付部を有し、前記誘導体の誘導部は、前端部に頂点を有しかつ後端部に上下方向の底辺を有する二等辺三角形状をなすもので、前記取付部の前端部から斜め前外側方に向かって突出しているものである。
【００１０】
請求項３記載の作業機は、請求項２記載の作業機において、誘導体の誘導部が、機体の側部の内面よりも内側方に位置する内側部分を有するものである。
【００１１】
請求項４記載の作業機は、請求項１ないし３のいずれか一記載の作業機において、機体は、互いに離間対向する対をなす側部を有し、誘導体は、前記対をなす側部の少なくともいずれか一方に設けられているものである。
【発明の効果】
【００１２】
本発明によれば、少なくとも一部が機体の側部の外面よりも外側方に位置する誘導体が、被切断物を切断手段に向けて誘導するため、適切な切断作業ができる。
【図面の簡単な説明】
【００１３】
【図１】本発明の第１の実施の形態に係る作業機の平面図である。
【図２】同上作業機の右側からみた側面図である。
【図３】同上作業機の左側からみた側面図である。
【図４】同上作業機の可動機枠の水平回動状態を示す平面図である。
【図５】同上作業機の可動機枠の上下回動状態を示す背面図である。
【図６】同上作業機の水平な作業地での作用説明図であり、（ａ）が誘導体無しの場合の図であり、（ｂ）が誘導体有りの場合の図である。
【図７】同上作業機の傾斜した作業地での作用説明図であり、（ａ）が誘導体無しの場合の図であり、（ｂ）が誘導体有りの場合の図である。
【図８】本発明の第２の実施の形態に係る作業機を示す図であり、（ａ）がその作業機の誘導体の平面図であり、（ｂ）が誘導体の側面図であり、（ｃ）がその誘導体の背面図である。
【図９】本発明の第３の実施の形態に係る作業機を示す図であり、（ａ）がその作業機の誘導体の平面図であり、（ｂ）が誘導体の側面図である。
【図１０】本発明の第４の実施の形態に係る作業機を示す図であり、（ａ）がその作業機の誘導体の平面図であり、（ｂ）が誘導体の側面図である。
【図１１】本発明の第５の実施の形態に係る作業機を示す図であり、（ａ）がその作業機の誘導体の平面図であり、（ｂ）が誘導体の側面図である。
【図１２】本発明の第６の実施の形態に係る作業機を示す図であり、（ａ）がその作業機の誘導体の平面図であり、（ｂ）が誘導体の側面図である。
【図１３】本発明の第７の実施の形態に係る作業機を示す図であり、（ａ）がその作業機の誘導体の平面図であり、（ｂ）が誘導体の側面図である。
【図１４】本発明の第８の実施の形態に係る作業機を示す図であり、（ａ）がその作業機の誘導体の平面図であり、（ｂ）が誘導体の側面図である。
【図１５】本発明の第９の実施の形態に係る作業機を示す平面図である。
【発明を実施するための形態】
【００１４】
本発明の第１の実施の形態について図１ないし図７を参照して説明する。
【００１５】
図１ないし図５において、１は作業機である草刈作業機で、このオフセット作業機である草刈作業機１は、例えば走行車であるトラクタ（図示せず）に連結され、このトラクタの前進走行により進行方向である前方に移動しながら、圃場や牧場等の地面に植生した雑草等の被切断物Ａの切断作業（草刈作業）をするものである。
【００１６】
草刈作業機１は、図示しないトラクタの後部の３点リンクヒッチ部（作業機昇降支持部）に連結された機体２を備えている。
【００１７】
機体２は、トラクタの後部の３点リンクヒッチ部に脱着可能に連結された固定機枠３と、この固定機枠３に対して水平移動可能で、トラクタより右側方に突出する作業状態およびトラクタの後方に位置する作業状態に適宜設定される可動機枠４と、これら固定機枠３と可動機枠４とを連結する連結手段５とを有している。連結手段５は、例えば２本の回動アームからなる平行リンク６等にて構成されている。
【００１８】
また、機体２は、可動機枠４を水平移動させて所望の作業状態に設定する伸縮可能な第１駆動手段である第１シリンダ８と、可動機枠４を前後方向の回動中心軸10を中心として上下回動させて水平状態、右上がり傾斜状態および右下がり傾斜状態に選択的に設定する伸縮可能な第２駆動手段である第２シリンダ９とを有している。
【００１９】
固定機枠３は、軸支持部11を有し、トラクタのＰＴＯ軸に伝動手段（図示せず）を介して接続された入力軸12がその軸支持部11にて回転可能に支持されている。
【００２０】
可動機枠４は、所定距離を介して互いに離間対向して鉛直状に位置する板状の左右１対の側部である側板部13を有している。そして、これら左右の両側板部13にて、左右方向の回転中心軸線Ｘを中心として所定方向に回転しながら雑草等の被切断物Ａを細かく粉砕切断する切断手段15が回転可能に支持されている。つまり、回転中心軸線Ｘを中心として回転しながら地面から突出した被切断物Ａを切断する切断手段15が、機体２の可動機枠４の両側板部13に回転可能に架設されている。
【００２１】
切断手段15は、機体２の可動機枠４の両側板部13に回転可能に架設され動力伝達手段20からの動力で駆動回転する左右方向の駆動軸である回転軸16と、この回転軸16に周方向９０度間隔の放射状に取り付けられこの回転軸16とともに回転しながら被切断物Ａを粉砕切断する複数の切断刃17とを有している。複数の切断刃17は、回転軸16の外周面側にこの回転軸16の軸方向一端部から軸方向他端部にわたって互いに等間隔をおいて並設されている。
【００２２】
なお、回転軸16の軸方向端部近傍に取り付けられた切断刃17は、機体２の側板部13の内面の近傍位置において回転する。また、切断手段15の上方部は、可動機枠４の略湾曲状の上面部であるカバー部14にて覆われている。
【００２３】
また、入力軸12からの動力を切断手段15の回転軸16に伝達する動力伝達手段20は、前端側が入力軸12に接続された伸縮可能なジョイント21を有している。
【００２４】
ジョイント21の後端側が、可動機枠４のギアケース部22に回転可能に設けられた中間入力軸23に接続されている。中間入力軸23にはギアケース部22内のギア24，25を介してシャフト26が接続され、このシャフト26のうち可動機枠４のベルトケース部27内に位置する部分には第１プーリ31が固定されている。
【００２５】
切断手段15の回転軸16のうちベルトケース部27内に位置する部分には第２プーリ32が固定され、このベルトケース部27内に収納された第１プーリ31、第２プーリ32および第３プーリ33には無端状のＶベルト等の伝動ベルト34が回行可能に掛け渡されている（図３参照）。
【００２６】
さらに、機体２の可動機枠４の両側板部13には、切断手段15の後方で地面に接地した状態でその地面上を回転しながら走行する高さ安定用のゲージローラ36が回転可能に架設されている。ゲージローラ36の外周面は、左右方向に細長い円筒面状に形成されている。なお、作業時において切断手段15の回転領域の下端は地面より上方に位置し、切断手段15の回転領域の下端と地面との間には若干の隙間37が存在するようになっている（図２、図３参照）。
【００２７】
また、草刈作業機１は、少なくとも一部が機体２の可動機枠４の片側であるオフセット側、つまり進行方向右側の側板部13の外面よりも外側方に位置し、雑草等の被切断物Ａを切断手段15の作業幅外から切断手段15に向けて変形させて誘導する誘導体41を備えている。
【００２８】
誘導体41は、図１および図２に示されるように、互いに離間対向する左右対をなす側板部13の少なくともいずれか一方、すなわち例えば右側の側板部13における外面の前部に、その側板部13から平面視で斜め前外側方に向かって突出するように突設されている。
【００２９】
ここで、誘導体41は、取付具（例えばボルトおよびナット等）40によって、機体２の右側の側板部13の外面の前部にこの外面に沿って重なるように固定的に取り付けられた板状の取付部42を有している。この取付部42には、取付具40を挿入するための取付用孔45が複数形成されている。
【００３０】
また、この取付部42には、進行方向前方の被切断物Ａと接触してこの被切断物Ａを切断手段15の前側に向けて案内誘導する板状の誘導部43が一体に連設されている。
【００３１】
つまり、誘導体41は、１箇所で折り曲げられ鉛直面に沿って位置する三角形状の１枚の板状部材（引込み板）のみで構成されたもので、この誘導体41の取付部42の前端部から三角板状（略三角形状を含む）の誘導部43が斜め前外側方（斜め前右側方）に向かって一体に突出している。この誘導部43は、側板部13の前端よりも前方に位置している。
【００３２】
誘導部43は、例えば前端部に頂点を有しかつ後端部に上下方向の底辺を有する二等辺三角形状をなす板状部材にて構成されている。誘導部43の前端部が、円弧状端部43aとなっている。なお、誘導体41を構成する板状部材は、例えば弾性変形しにくい剛性体からなるものであり、その材質は金属或いは樹脂等である。
【００３３】
また、図１に示されるように、平面視で、誘導部43の取付部42に対する傾斜角度（つまり誘導部43の前後方向に対する傾斜角度）αは、例えば１５度〜４５度、好ましくは３０度である。
【００３４】
次に、草刈作業機１の作用等を説明する。
【００３５】
トラクタに連結した草刈作業機１を使用して草刈作業をする場合、例えば図６に示すように、地面が水平なときは、機体２の可動機枠４を所望の作業状態でかつ水平状態に設定した後、トラクタの前進走行により草刈作業機１全体を前方に移動させる。
【００３６】
草刈作業機１全体が前方に移動すると、回転中の切断手段15の複数の切断刃17にて、切断手段15の進行方向前方に位置する雑草等の被切断物Ａが切断処理される。
【００３７】
ここで図６（ａ）に示すように、誘導体41が無い場合には、機体２の側板部13が被切断物Ａを押し倒し、外側方および前方へ押し倒されて倒伏状態となった被切断物Ａが、切断手段15にて切断されずに、残ってしまうことがある。
【００３８】
これに対し、図６（ｂ）に示すように、誘導体41が有る場合には、誘導体41の誘導部43が、被切断物Ａと接触してこの被切断物Ａを切断手段15側へ折り曲げるようにして切断手段15の前側に向けて誘導し、この誘導されて曲がった被切断物Ａが切断手段15にて切断される。
【００３９】
つまり、機体２の側板部13の外面より外側直近にあり、切断手段15の作業幅内に根のない雑草等の被切断物Ａは、誘導体41にて側板部13の内面よりも切断手段15側の内側方へ誘導され、この誘導された部分が切断手段15にて切断される。
【００４０】
その結果、図６（ａ）の場合に比べて、機体２の側板部13にて押し倒されて未作業部分として残ってしまう被切断物Ａが少なくなり、切断作業の作業精度が向上し、仕上がりが良好となる。
【００４１】
また、例えば図７に示すように、地面が傾いているときは、機体２の可動機枠４を所望の作業状態でかつ右下がり傾斜状態に設定した後、トラクタの前進走行により草刈作業機１全体を前方に移動させる。すると、回転中の切断手段15の複数の切断刃17にて、切断手段15の進行方向前方に位置する雑草等の被切断物Ａが切断処理される。
【００４２】
このとき、前記図６の場合と同様、図７（ａ）の誘導体無しの場合には、機体２の側板部13が被切断物Ａを押し倒し、外側方および前方へ押し倒されて倒伏状態となった被切断物Ａが切断手段15にて切断されずに残ってしまうことがあるが、図７（ｂ）の誘導体有りの場合には、誘導体41の誘導部43が被切断物Ａと接触してこの被切断物Ａを切断手段15側へ折り曲げるようにして切断手段15の前側に向けて誘導し、この誘導されて曲がった被切断物Ａが切断手段15にて切断され、その結果、切断作業の作業精度が向上して仕上がりが良好となる。
【００４３】
なお、図６（ｂ）および図７（ｂ）から明らかなように、傾斜した作業地での誘導体41が誘導可能な範囲は、水平な作業地での誘導体41が誘導可能な範囲よりも広い。
【００４４】
そして、このような草刈作業機１によれば、誘導体41が切断手段15の作業幅外の被切断物Ａを切断手段15に向けてその切断手段15の作業内へ引き込むように誘導するため、機体２の側板部13にて押し倒されて未作業部分として残ってしまう被切断物Ａが少なくなり、その結果、適切な切断作業ができ、作業精度の向上を図ることができ、仕上がりを良好にできる。
【００４５】
また、誘導体41は、機体２の側板部13に取り付けられた取付部42と、この取付部42に設けられ被切断物Ａを切断手段15に向けて誘導する誘導部43とを有するため、取付部42を側板部13に取り付けることで誘導体41を簡単に設けることができ、適切な切断作業ができる。
【００４６】
さらに、例えば作業時に草刈作業機１が移動する移動領域の付近に雑木や株等があっても、機体２の側板部13をその雑木等に近づける必要がなく、操作性が上がるとともに、その雑木等との衝突による側板部13の損傷等を防止できる。
【００４７】
また、例えば地面が傾いた作業地では、誘導体41が誘導可能な範囲が水平な作業地の場合に比べて広いため、被切断物Ａを広い作業幅で切断でき、作業効率の向上等を図ることができる。
【００４８】
さらに、誘導体41の誘導部43が三角形状の板状に形成されているため、雑草等の被切断物Ａが誘導部43に絡みにくく、適切な切断作業ができ、作業精度の向上を図ることができる。
【００４９】
次に、図８（ａ）、（ｂ）および（ｃ）には、本発明の第２の実施の形態が示されている。
【００５０】
前記第１の実施の形態では、誘導体41が１枚の板状部材である引込み板のみで構成された場合について説明したが、図８に示す第２の実施の形態では、誘導体41は、例えば弾性変形しにくい剛性体からなる金属製或いは樹脂製の２枚の板状部材、つまり、被切断物Ａを切断手段15に向けて誘導する第１板状部材である引込み板81と、この引込み板81を補強する第２板状部材である補強板82とにて構成されている。なお、その他の構成は前記第１の実施の形態と同じである。
【００５１】
また、引込み板81は、前記第１の実施の形態と略同じもので、取付部42および誘導部43を有している。補強板82は、作業時に引込み板81の誘導部43が被切断物Ａから受ける力で後方側へ変形するのを防止し、誘導部43の前後方向に対する傾斜角度αを一定に維持するものである。
【００５２】
補強板82の前側の取付板部86は、引込み板81の誘導部43の後面の下端部に取付具（例えばボルトおよびナット等）83によって固定的に取り付けられている。補強板82の後側の取付板部87は、右側の側板部13の外面の下端部に取付具（例えばボルトおよびナット等）84によって固定的に取り付けられている。
【００５３】
そして、誘導部43を補強する補強部である補強板82によって引込み板81の誘導部43の傾斜角度αを一定に維持でき、また、この補強板82は地面との接触により磨耗したら容易に交換でき、しかもこの補強板82の存在により引込み板81が磨耗しずらくなる。
【００５４】
次に、図９（ａ）および（ｂ）には、本発明の第３の実施の形態が示されている。
【００５５】
この第３の実施の形態では、誘導体41は、取付具（例えばボルトおよびナット等）40によって、機体２の右側の側板部13の外面の前部にこの外面に沿って重なるように固定的に取り付けられた板状の取付部42を有している。そして、この取付部42には、取付具40を挿入するための取付用孔45が複数形成されている。
【００５６】
また、取付部42の外面の複数箇所、すなわち例えば上下の２箇所には、進行方向前方の被切断物Ａと接触してこの被切断物Ａを切断手段15の前側に向けて案内誘導する棒状の誘導部43が溶接等により固設されている。互いに平行に位置する上下２本の棒状の誘導部43は、互いに同じ形状のもので、例えば弾性変形しにくい剛性体からなる１箇所曲げの丸棒状の棒状部材にて構成されている。なお、誘導部43を構成する棒状部材の材質は、金属或いは樹脂等である。
【００５７】
そして、この誘導部43は、図９（ａ）および（ｂ）に示されるように、取付部42の外面に固定され全体が前後方向に沿って位置し前端部が側板部13の前端よりも前方に位置する第１棒状部46と、この第１棒状部46の前端部から斜め前外側方に向かって一体に突出し全体が前後方向に対して傾斜角度αをもって傾斜した水平な方向に沿って位置する第２棒状部47とにて構成されている。第２棒状部47の第１棒状部46に対する傾斜角度αは、例えば１５度〜４５度、好ましくは３０度である。なお、第２棒状部47の前端部は、徐々に縮径する略円錐状の先細形状に形成されている。
【００５８】
次に、図１０（ａ）および（ｂ）には、本発明の第４の実施の形態が示されている。
【００５９】
図１０（ａ）および（ｂ）に示されるように、この誘導体41の棒状の平行な２本の誘導部43は、互いに同じ形状のもので、例えば弾性変形しにくい剛性体からなる２箇所曲げの丸棒状の金属製或いは樹脂製等の棒状部材にて構成されている。
【００６０】
そして、この誘導部43は、取付部42の外面に固定され全体が前後方向に沿って位置し前端部が側板部13の前端よりも前方に位置する第１棒状部51と、この第１棒状部51の前端部から斜め前内側方（側板部13の前方側）に向かって一体に突出し全体が前後方向に対して傾斜した水平な方向に沿って位置する第２棒状部52と、この第２棒状部52の前端部から斜め前外側方に向かって一体に突出し全体が前後方向に対して傾斜角度α（例えば１５度〜４５度、好ましくは３０度）をもって傾斜した水平な方向に沿って位置する第３棒状部53とにて構成されている。この第３棒状部53の前端部は、徐々に縮径する略円錐状の先細形状に形成されている。
【００６１】
このように、この誘導部43は、第１棒状部51、第２棒状部52および第３棒状部53を有する２箇所で折り曲げられた棒状部材からなるため、機体２の側板部13の内面よりも内側方に位置する内側部分55を有している。つまり、第２棒状部52と第３棒状部53との繋がり部分の角部が、被切断物Ａを側板部13の内面よりも内側方の位置まで誘導する内側部分55となっている。なお、その他の構成は前記第１の実施の形態と同じである。
【００６２】
次に、図１１（ａ）および（ｂ）には、本発明の第５の実施の形態が示されている。
【００６３】
図１１（ａ）および（ｂ）に示されるように、この誘導体41の棒状の平行な２本の誘導部43は、互いに異なる形状のもので、例えば弾性変形しにくい剛性体からなる１箇所曲げの丸棒状の金属製或いは樹脂製等の棒状部材にて構成されている。つまり、上側の誘導部43を構成する棒状部材の屈曲角度と下側の誘導部43を構成する棒状部材の屈曲角度とが異なっている。
【００６４】
そして、上側の誘導部43は、取付部42の外面に固定され全体が前後方向に沿って位置し前端部が側板部13の前端よりも前方に位置する第１棒状部56と、この第１棒状部56の前端部から斜め前外側方に向かって一体に突出し全体が前後方向に対して傾斜角度α（例えば１５度〜４５度、好ましくは３０度）をもって傾斜した水平な方向に沿って位置する第２棒状部57とにて構成されている。この第２棒状部57の前端部は、徐々に縮径する略円錐状の先細形状に形成されている。
【００６５】
また、下側の誘導部43は、取付部42の外面に固定され全体が前後方向に沿って位置し前端部が側板部13の前端よりも前方に位置する第１棒状部58と、この第１棒状部58の前端部から斜め前外側方に向かって一体に突出し全体が前後方向に対して傾斜角度β（例えば４０度）をもって傾斜した水平な方向に沿って位置する第２棒状部59とにて構成されている。この第２棒状部59の前端部は、徐々に縮径する略円錐状の先細形状に形成されている。なお、その他の構成は前記第１の実施の形態と同じである。
【００６６】
次に、図１２（ａ）および（ｂ）には、本発明の第６の実施の形態が示されている。
【００６７】
図１２（ａ）および（ｂ）に示されるように、この誘導体41の棒状の平行な２本の誘導部43は、互いに同じ形状のもので、その後端部同士が連結部60にて一体に連結されている。つまり、これら２本の誘導部43および連結部60が、例えば弾性変形しにくい剛性体からなる１本の丸棒状の金属製或いは樹脂製等の棒状部材のみで構成されている。
【００６８】
そして、この誘導部43は、取付部42の外面に固定され全体が前後方向に沿って位置し前端部が側板部13の前端よりも前方に位置する第１棒状部61と、この第１棒状部61の前端部から斜め前外側方でかつ斜め前下方に向かって一体に突出し全体が平面視で前後方向に対して傾斜角度α（例えば１５度〜４５度、好ましくは３０度）をもって傾斜した方向に沿って位置する第２棒状部62とにて構成されている。この第２棒状部62の前端部は、徐々に縮径する略円錐状の先細形状に形成されている。なお、その他の構成は前記第１の実施の形態と同じである。
【００６９】
次に、図１３（ａ）および（ｂ）には、本発明の第７の実施の形態が示されている。
【００７０】
図１３（ａ）および（ｂ）に示されるように、この誘導体41の棒状の平行な２本の誘導部43は、互いに同じ形状のもので、その前端部同士が連結部65にて一体に連結されている。つまり、これら２本の誘導部43および連結部65が、例えば弾性変形しにくい剛性体からなる１本の丸棒状の金属製或いは樹脂製等の棒状部材のみで構成されている。
【００７１】
そして、この誘導部43は、取付部42の外面に固定され全体が前後方向に沿って位置し前端部が側板部13の前端よりも前方に位置する第１棒状部66と、この第１棒状部66の前端部から斜め前外側方に向かって一体に突出し全体が前後方向に対して傾斜角度α（例えば１５度〜４５度、好ましくは３０度）をもって傾斜した水平な方向に沿って位置する第２棒状部67とにて構成されている。
【００７２】
次に、図１４（ａ）および（ｂ）には、本発明の第８の実施の形態が示されている。
【００７３】
図１４（ａ）および（ｂ）に示されるように、この誘導体41の誘導部43は、棒状ではなく板状のもので、例えば弾性変形しにくい剛性体からなる金属製或いは樹脂製等の板状部材にて構成されている。
【００７４】
そして、この誘導部43は、取付部42の外面に固定され全体が前後方向に沿って鉛直状に位置し前端部が側板部13の前端よりも前方に位置する第１板状部71と、この第１板状部71の前端部から斜め前外側方に向かって一体に突出し全体が前後方向に対して傾斜角度α（例えば１５度〜４５度、好ましくは３０度）をもって傾斜した水平な方向に沿って鉛直状に位置する第２板状部72とにて構成されている。なお、その他の構成は前記第１の実施の形態と同じである。
【００７５】
なお、上記各実施の形態では、誘導体41が機体２の右側の側板部13のみに設けられた構成について説明したが、この構成には限定されず、誘導体41が対をなす側板部13の少なくともいずれか一方に設けられた構成であればよい。すなわち例えば、図１５に示す第９の実施の形態のように、誘導体41が機体２の左右対をなす側板部13の両方に設けられた構成でもよい。
【００７６】
この図１５に示す草刈作業機１の機体２は、図１等に示すものとは異なり、小型のトラクタに対応した構成となっている。そして、図示しないトラクタの後部の３点リンクヒッチ部に連結された機体２が互いに離間対向する左右対をなす側板部13を有し、この各側板部13の外面に誘導体41が設けられている。また図示されていないが、回転しながら被切断物Ａを切断する切断手段15が機体２の両側板部13に回転可能に架設されている。
【００７７】
また、上記いずれの実施の形態においても、誘導体41の誘導部43は、弾性変形しにくい剛性体からなるものには限定されず、弾性変形しやすい弾性体からなるものであってもよい。
【００７８】
さらに、棒状の誘導部43を構成する棒状部材は、断面円形状の丸棒状には限定されず、断面多角形状の角棒状等でもよい。
【００７９】
また、板状の誘導部43を構成する板状部材は、三角板状や矩形板状には限定されず、円板状等でもよい。
【００８０】
さらに、誘導部43の数は、１つや２つには限定されず、３つや４つ以上でもよい。
【００８１】
また、誘導体41の取付部42がボルト止め等により側板部13に固定的に取り付けられた構成には限定されず、例えば取付部42が溶接により側板部13に固定的に取り付けられた構成、取付部42が側板部13に脱着可能に取り付けられた構成、取付部42が誘導部43の位置や向きを調整できるように側板部13に可動可能に取り付けられた構成、誘導部43が側板部13に直接取り付けられた構成、誘導部43が側板部13に一体に設けられた構成等でもよい。
【００８２】
さらに、作業機は、雑草等の被切断物を切断するフレールモア等の草刈作業機には限定されず、例えば被切断物である茎葉を切断するものや、被切断物である雑物を切断するもの等でもよく、被切断物の種類は問わない。
【００８３】
また、例えば走行車であるトラクタの前部に連結して使用する作業機でもよい。
【００８４】
さらに、誘導体41が機体２の側板部13に設けられた構成には限定されず、例えば誘導体41が機体２のカバー部14に設けられた構成等でもよい。
【００８５】
また、前記各実施の形態の構成を適宜組み合わせるようにしてもよい。
【符号の説明】
【００８６】
１    作業機である草刈作業機
２    機体
13    側部である側板部
15    切断手段
41    誘導体
42    取付部
43    誘導部
55    内側部分
Ａ    被切断物
【図１】
0006045095.tif 000002
【図２】
0006045095.tif 000003
【図３】
0006045095.tif 000004
【図４】
0006045095.tif 000005
【図５】
0006045095.tif 000006
【図６】
0006045095.tif 000007
【図７】
0006045095.tif 000008
【図８】
0006045095.tif 000009
【図９】
0006045095.tif 000010
【図１０】
0006045095.tif 000011
【図１１】
0006045095.tif 000012
【図１２】
0006045095.tif 000013
【図１３】
0006045095.tif 000014
【図１４】
0006045095.tif 000015
【図１５】
0006045095.tif 000016